(57)【要約】【目的】  嵩張らず、スペースを取らずに輸送、保管が可能な、高級感のある容器の実現を課題とする。【構成】  貼り板から容器Ａの外周を形成する外周板Ｂを切り出し、その裏面の長さ方向に２条の溝を設け、この溝に垂直な方向に外周板Ｂを複数の外壁板に区切るV字形のカット面を設ける。これとは別に、この外壁板のそれぞれの長さに対応した辺を有し、溝に嵌着可能な厚みを有する一対の端板Ｃを設け、外周板ＢをV字形のカット面で端板Ｃを包み込むように折り曲げ、端板Ｃの各辺を外壁板の溝に順次嵌着して容器Ａを形成する。【選択図】            図１
2006062685.tif 000002
【特許請求の範囲】
【請求項１】
厚紙や薄板を芯とし、この芯の表面に外装シートを貼った貼り板を用いて構成される容器において、
前記貼り板から、相互に連接する複数の外壁板からなり容器周囲を形成する外周板を切り出し、これとは別にこの外壁板のそれぞれの長さに対応した辺を有する一対の端板を設け、
前記外周板の裏面の長さ方向の両端部に、その長さ方向に平行で前記端板が嵌着可能な２条の溝を設け、さらに、この溝に垂直な方向に前記外周板を前記複数の外壁板に区切るV字形のカット面を設け、
前記外周板の前記２条の溝のそれぞれに前記端板を嵌着し、前記V字形のカット面で前記外周板を前記端板を包み込むように折り曲げ、前記端板の各辺を各前記外壁板の前記溝に順次嵌着してゆくことによって形成されることを特徴とする容器。
【請求項２】
前記外周板は、蓋板と底板とこの蓋板と底板とを上下に連接する２面の側板とを含む４周を形成し、前記端板は、その縦の寸法が前記側板の高さに、その横の寸法が前記蓋板及び前記底板の長さにそれぞれ対応する矩形状であることを特徴とする請求項１に記載の容器。
【請求項３】
前記外周板の一方の端部に他方の端部と重なる折返し板を設けたことを特徴とする請求項1または請求項２に記載の容器。
【請求項４】
前記端板に前記折り返し板を受け入れる段部を設け、この段部で折返し板が前記他方の端部と重なることを特徴とする請求項３に記載の容器。
【請求項５】
前記V字形のカット面は何れも前記外装シートを残してカットされ、これらの前記V字形のカット面は何れも表面に対して４５°に削られることを特徴とする請求項１乃至請求項４のいずれかに記載の容器。
【発明の詳細な説明】
【技術分野】
【０００１】
本発明は、容器に関し、特に輸送、保管に要するスペースが小さく、廃棄が容易な組立て型の貼り箱などの容器に関する。
【背景技術】
【０００２】
包装する品物の保護と商品価値を高める目的で、贈答用の品物を収容するような貼り箱容器は、所定の厚みを持つ貼り板などで構成されて高級感を持つように作られていた。そのため、その構造上、どうしても組み立てられた状態で取り扱われることが多く、容積が嵩張り、輸送時は勿論、保管の際にもスペースを必要とすることになり、輸送費や保管料がかかるという問題があった。また、廃棄する場合にも、嵩張るため、箱を一旦壊して畳まなければならないなど、処理が厄介で問題が多かった。
このような問題を解決するため、例えば、折畳んで全体を平らにコンパクトにすることができる容器（例えば特許文献１参照。）や、使用時に紙基材から箱状に組み立てることができる組立箱（例えば特許文献２参照。）などが報告されているが、何れも、比較的薄手の基材を用いることになるため、貼り箱などに比べて、高級感や重厚性の面で劣るという問題がある。
【特許文献１】特開２００２−３３７８４９号公報
【特許文献２】特開２０００−２３８７４４号公報
【発明の開示】
【発明が解決しようとする課題】
【０００３】
従来の贈答用の品物を収容するような貼り箱容器は、高級感を持つように作られていたため、組み立てられた状態で取り扱われることが多く、輸送や保管に費用がかかるという問題があった。また、廃棄する場合にも、嵩張るため、処理が厄介で問題が多かった。これを避けるために、折畳み式の容器や、組立式の容器が提案されているが、何れも、従来の貼り箱などの容器に比べて高級感がなく、安っぽく見えるという問題があった。
本発明はこの点を解決して、従来の貼り箱と同様の重厚な外見を有し、嵩張らず、スペースを取らずに輸送、保管が可能な、高級感のある容器の実現を課題とする。
【課題を解決するための手段】
【０００４】
上記課題を解決するため、本発明の請求項１の発明は、厚紙や薄板を芯とし、この芯の表面に外装シートを貼った貼り板を用いて構成される容器において、前記貼り板から、相互に連接する複数の外壁板からなり容器周囲を形成する外周板を切り出し、これとは別にこの外壁板のそれぞれの長さに対応した辺を有する一対の端板を設け、前記外周板の裏面の長さ方向の両端部に、その長さ方向に平行で前記端板が嵌着可能な２条の溝を設け、さらに、この溝に垂直な方向に前記外周板を前記複数の外壁板に区切るV字形のカット面を設け、前記外周板の前記２条の溝のそれぞれに前記端板を嵌着し、前記V字形のカット面で前記外周板を前記端板を包み込むように折り曲げ、前記端板の各辺を各前記外壁板の前記溝に順次嵌着してゆくことによって形成されることを特徴とする。
【０００５】
上記課題を解決するため、本発明の請求項２の発明は、請求項１に記載の容器において、前記外周板は、蓋板と底板とこの蓋板と底板とを上下に連接する２面の側板とを含む４周を形成し、前記端板は、その縦の寸法が前記側板の高さに、その横の寸法が前記蓋板及び前記底板の長さにそれぞれ対応する矩形状であることを特徴とする。
【０００６】
上記課題を解決するため、本発明の請求項３の発明は、請求項1または請求項２に記載の容器において、前記外周板の一方の端部に他方の端部と重なる折返し板を設けたことを特徴とする。
【０００７】
上記課題を解決するため、本発明の請求項４の発明は、請求項３に記載の容器において、前記端板に前記折り返し板を受け入れる段部を設け、この段部で折返し板が前記他方の端部と重なることを特徴とする。
【０００８】
上記課題を解決するため、本発明の請求項５の発明は、請求項１乃至請求項４のいずれかに記載の容器において、前記V字形のカット面は何れも前記外装シートを残してカットされ、これらの前記V字形のカット面は何れも表面に対して４５°に削られることを特徴とする。
【発明の効果】
【０００９】
このような構成になる本発明の容器は、外周板をV字形のカット面で外壁板に切り分けて折り曲げ、２枚の端板の各辺を各外壁板の溝に順次嵌着させ、外周板で端板を包み込むようにして簡単に確実に組み立てることができ、さらに、一方の端部の折り返し板に他方の端部が重なるため、組立て後に崩れることが少なく、体裁も優れたものになる。この容器の組立てに際しては、単に端板を溝に順次嵌め込むだけで、接着剤や止め金具などを一切使用しないので、輸送時や保管時は板の状態のままにしておき、必要とするたびに容易に組上げることができる。したがって、輸送や保管が容易で嵩張らないため、輸送料や保管料を廉価に抑えることができる。また、リサイクル処理や廃棄処理する場合も、簡単に解体してリサイクルしたり、解体してすべて燃えるごみとして廃棄することができるので、手間がかからない。さらに、このような構成でありながら、従来の貼り箱同様の高級感、重厚感、美観を保った容器であるので、贈答品の容器などとして広範に用いることができる。
【発明を実施するための最良の形態】
【００１０】
以下、本発明の容器を図面に沿って詳細に説明する。
【００１１】
図１は、本発明の容器Ａの一実施の形態の組立後の外観斜視図である。また、図２は、この実施の形態の容器の外周板Ｂの平面図と側面図、図３は、この実施の形態の容器の端板Ｃの平面図と側面図である。また、図４は、組立後の本実施の形態の容器の平面図と側面図である。本発明の容器Ａは、外周板Ｂと一対の端板Ｃから構成される。
【００１２】
外周板Ｂは、図２に示すように、芯1に外装シート２が貼られた厚さｔ１の貼り板から構成されており、その裏面（外装シート２が貼られていない面）にＶ字形のカット面Ｖ１〜Ｖ４が形成されて、このＶ字形のカット面Ｖ１〜Ｖ４によって、５つの外壁板Ｐ１〜Ｐ５に区分されている。このカット面Ｖ１〜Ｖ４に垂直に、外周板Ｂの長さ方向の両端部に、その長さ方向に平行に２条の溝Ｄ１及びＤ２が設けられている。この溝Ｄ１、Ｄ２の幅ｗは、端板Ｃがちょうど嵌着できるような幅になっている。外周板Ｂの長さＬ１は外壁板Ｐ１〜Ｐ５の長さの和であり、外周板Ｂの幅Ｌ２は容器Ａの長さになる。また、Ｖ字形のカット面Ｖ１〜Ｖ４は表面に対して４５°に削られている。
【００１３】
端板Ｃは、各辺が各外壁板Ｐ１〜Ｐ５の長さｌ１〜ｌ５に対応するような長さｌ１１〜ｌ１５を持つ矩形状の板からなり、一部に折り返し板である外壁板Ｐ１を受け入れる段部Ｓが設けられている。外周板Ｂの厚さをｔ１、溝Ｄ１、Ｄ２の深さをｄとすると、図２に示す各外壁板Ｐ１〜Ｐ５の長さｌ１〜ｌ５と、図３に示すこれに対応する端板Ｃの各辺の長さｌ１１〜ｌ１５と、の間には次の関係が成り立つ。
【００１４】
（数１）
ｌ１＝ｌ１１＋ｔ１−ｄ
ｌ２＝ｌ１２＋２（ｔ１−ｄ）
ｌ３＝ｌ１３＋２（ｔ１−ｄ）
ｌ４＝ｌ１４＋２（ｔ１−ｄ）
ｌ５＝ｌ１１＋ｌ１５＋２（ｔ１−ｄ）＝ｌ１３＋２（ｔ１−ｄ）＝ｌ３
【００１５】
各外壁板Ｐ１〜Ｐ５の溝Ｄ１、Ｄ２に対応する端板Ｃ１およびＣ２の各辺を嵌着して行くと、図４の平面図、側面図及び図１の斜視図で示されるような容器Ａが組立てられる。折り返し板Ｐ１は蓋板となる外壁板Ｐ５と重なることで、組みあがった容器Ａを崩れ難くするとともに、容器としての体裁をよくする効果を示す。
【００１６】
この容器Ａは、溝Ｄ１、Ｄ２に対する端板Ｃ１、Ｃ２の嵌合の度合を密にすると、接着剤や止め金具などを使用しないでも充分堅牢に組立てられる。また、誰でも容易に組立てることができる。したがって、外周板Ｂと端板Ｃのままで輸送や保管を行ない、容器Ａを使用する際に組立てればよく、嵩張らないため、輸送料や保管料を廉価に抑えることができる。また、リサイクルする場合や廃棄するや場合も、簡単に解体してリサイクルするか、解体してすべて燃えるごみとして廃棄することができるので、リサイクルや廃棄に手間がかからない。しかも、この容器Ａは、組みあがった状態では、従来の貼り板を用いた容器となんら変わらない体裁を示し、高級感、重厚感、美観を保つことができるので、高級贈答品などの容器に用いることができる。
【００１７】
以上の実施の形態では、矩形断面の箱型の容器の場合を例として示したが、外壁板の数を増やし、端板をそれに対応した多角形にすることで、断面５角形、断面６角形などの容器を形成することも容易である。              
【産業上の利用可能性】
【００１８】
以上に述べたように本発明の容器は、嵩張らずに輸送、保管ができ、必要なときに容易に組立てることができ、しかも、従来の貼り箱同様の高級感、重厚感、美観を有するので、菓子や酒類などの贈答用の容器として広範に用いることができるなど、広い利用の可能性を有するものである。
【図面の簡単な説明】
【００１９】
【図１】本発明の容器の組立後の外観斜視図である。
【図２】本発明の容器の外周板の平面図と側面図である。
【図３】本発明の容器の端板の平面図と側面図である。
【図４】本発明の容器の組立後の平面図と側面図である。
【符号の説明】
【００２０】
１    芯
２    外装シート
Ａ    容器
Ｂ    外周板
Ｃ、Ｃ１、Ｃ２    端板
Ｄ１、Ｄ２    溝
Ｐ１〜Ｐ５    外壁板
Ｓ    段部
【図１】
2006062685.tif 000003
【図２】
2006062685.tif 000004
【図３】
2006062685.tif 000005
【図４】
2006062685.tif 000006